(57)【要約】【課題】ユーザを介して送信される音声データの検出感度を高めることのできるヘッドセットを提供する。【解決手段】ヘッドバンド１の外周側にスピーカ収納部２を設けたことで、ヘッドバンド１が頭部に密着するので、ヘッドバンド１には高い電圧が印加される。また、グランド電極を兼ねるマイクロホンアーム５は、ヘッドセットの中でもユーザから遠い位置にあるので、それによっても、ヘッドバンド１に印加される電圧が高くなる。ヘッドバンド１に高い電圧が印加されるので、音声データを高い感度で検出することができる。【選択図】図１
2009017397.tif 000002
【特許請求の範囲】
【請求項１】
ユーザの頭部に装着されるヘッドバンドと、
前記ヘッドバンドに設けられたスピーカ収納部と、
電極と、
頭部を介して前記電極に印加された電圧によりユーザへの音声を示す音声データを検出する検出部と、
前記スピーカ収納部内に収納され、検出された音声データに応じた音声を再生するためのスピーカとを備え、
前記電極が前記スピーカよりも頭部に近くなるように配置されていることを特徴とするヘッドセット。
【請求項２】
前記ヘッドバンドの外周側に前記スピーカ収納部が設けられ、
前記ヘッドバンドまたはその一部が前記電極を兼ねる
ことを特徴とする請求項１記載のヘッドセット。
【請求項３】
前記スピーカ収納部は前記ヘッドバンドの一方の端部に設けられ、
前記電極は前記ヘッドバンドの他方の端部を兼ねる
ことを特徴とする請求項２記載のヘッドセット。
【請求項４】
前記電極は前記スピーカ収納部内において前記スピーカの前面側に設けられたメッシュの電極である
ことを特徴とする請求項１記載のヘッドセット。
【請求項５】
前記電極は前記スピーカと頭部とを結ぶ空間を囲むように設けられている
ことを特徴とする請求項１記載のヘッドセット。
【請求項６】
マイクロホンアームと、
前記マイクロホンアームの先端に設けられ、ユーザからの音声を検出するマイクロホンと、
前記検出された音声を示す音声データに応じた波形をもつ電圧を生成し前記電極に印加する発振回路と、
前記検出部が音声データを検出する場合の基準電位を定めるグランド電極とを備え、
前記グランド電極は、前記マイクロホンアームまたはその一部を兼ねる
ことを特徴とする請求項１ないし５のいずれかに記載のヘッドセット。
【発明の詳細な説明】
【技術分野】
【０００１】
本発明は、ユーザを介して送信される音声データの検出感度を高めることのできるヘッドセットに関する。
【背景技術】
【０００２】
従来にあって、例えばコールセンタでは、多数のオペレータのそれぞれに電話機が与えられ、オペレータは電話機を使用して、顧客に対して商品説明や質問への回答を行う。近年では、オペレータの頭部に装着されるヘッドセットと電話機の間において、無線により音声データが送受信される。
【非特許文献１】RedTacton、［平成１７年１０月３日検索］、インターネット＜URL： http://www.redtacton.com/jp/info/index.html＞
【発明の開示】
【発明が解決しようとする課題】
【０００３】
上記の無線通信にはそれゆえのデメリットがあるので、出願人は、オペレータを通信経路として通信を行おうとしている。出願人は、非特許文献１に開示した技術をこのようなヘッドセットを用いた通信に応用しようと考えている。
【０００４】
しかしながら、ヘッドセットが頭部に装着されるという制約に起因して、音声データの検出感度が思うように高まらないという問題が生じている。
【０００５】
本発明は、上記の課題に鑑みてなされたものであり、その目的とするところは、ユーザを介して送信される音声データの検出感度を高めることのできるヘッドセットを提供することにある。
【課題を解決するための手段】
【０００６】
上記の課題を解決するために、第１の本発明に係るヘッドセットは、ユーザの頭部に装着されるヘッドバンドと、前記ヘッドバンドに設けられたスピーカ収納部と、電極と、頭部を介して前記電極に印加された電圧によりユーザへの音声を示す音声データを検出する検出部と、前記スピーカ収納部内に収納され、検出された音声データに応じた音声を再生するためのスピーカとを備え、前記電極が前記スピーカよりも頭部に近くなるように配置されていることを特徴とする。
【０００７】
第１の本発明によれば、電極をスピーカよりも頭部に近くなるように配置したことで、電極に印加される電圧が高まり、音声データの検出感度を高めることができる。
【０００８】
第２の本発明に係るヘッドセットは、第１の本発明において、前記ヘッドバンドの外周側に前記スピーカ収納部が設けられ、前記ヘッドバンドまたはその一部が前記電極を兼ねることを特徴とする。
【０００９】
第２の本発明によれば、ヘッドバンドの外周側にスピーカ収納部を設け、ヘッドバンドまたはその一部が電極を兼ねるようにして、電極をスピーカより頭部に近くなるように配置したことで、電極に印加される電圧が高まり、音声データの検出感度を高めることができる。
【００１０】
第３の本発明に係るヘッドセットは、第２の本発明において、前記スピーカ収納部は前記ヘッドバンドの一方の端部に設けられ、前記電極は前記ヘッドバンドの他方の端部を兼ねることを特徴とする。
【００１１】
第３の本発明によれば、スピーカ収納部がヘッドバンドの一方の端部に設けられているので、他方の端部を兼ねる電極を頭部に一層近づけることができ、さらに音声データの検出感度を高めることができる。
【００１２】
第４の本発明に係るヘッドセットは、第１の本発明において、前記電極は前記スピーカ収納部内において前記スピーカの前面側に設けられたメッシュの電極であることを特徴とする。
【００１３】
第４の本発明によれば、電極をメッシュにすることで、電極の大きさによらず、スピーカから発生する音声をより良く耳に伝えることができ、よって、電極の面積を大きくすることができる。また、電極をスピーカの前面側に配置したので、電極を頭部に近づけることができる。よって、電極の面積を大きくし且つ頭部に近づけることで、音声データの検出感度を高めることができる。
【００１４】
第５の本発明に係るヘッドセットは、第１の本発明において、前記電極は前記スピーカと頭部とを結ぶ空間を囲むように設けられていることを特徴とする。
【００１５】
第５の本発明によれば、スピーカと頭部とを結ぶ空間を囲むように電極を設けたことで、電極の大きさによらず、スピーカから発生する音声をより良く耳に伝えることができ、よって、電極の面積を大きくすることができる。また、電極はスピーカの前面側に位置することとなるので、電極を頭部に近づけることができる。よって、電極の面積を大きくし且つ頭部に近づけることで、音声データの検出感度を高めることができる。
【００１６】
第６の本発明に係るヘッドセットは、第１ないし第５のいずれかの本発明において、マイクロホンアームと、前記マイクロホンアームの先端に設けられ、ユーザからの音声を検出するマイクロホンと、前記検出された音声を示す音声データに応じた波形をもつ電圧を生成し前記電極に印加する発振回路と、前記検出部が音声データを検出する場合の基準電位を定めるグランド電極とを備え、前記グランド電極は、前記マイクロホンアームまたはその一部を兼ねることを特徴とする。
【００１７】
第６の本発明によれば、グランド電極を兼ねるマイクロホンアームは、ヘッドセットの中でもユーザから遠い位置にあるので、電極に印加される電圧が高まり、音声データの検出感度を高めることができる。
【発明の効果】
【００１８】
本発明に係るヘッドセットよれば、電極をスピーカよりも頭部に近くなるように配置したことで、電極に印加される電圧が高まり、音声データの検出感度を高めることができる。
【発明を実施するための最良の形態】
【００１９】
以下、本発明の一実施の形態に係るヘッドセットについて図面を参照して説明する。
【００２０】
［第１の実施の形態］
図１は、第１の実施の形態の一例に係るヘッドセットの外観と構成を示す図である。
【００２１】
ヘッドセットは、ユーザの頭部に装着されるヘッドバンド１と、ヘッドバンド１の一方の端部の外周側に設けられたスピーカ収納部２と、スピーカ収納部２に収納されたトランシーバ３およびスピーカ４と、スピーカ収納部２に一端を接続されたマイクロホンアーム５と、マイクロホンアーム５の先端に設けられたマイクロホン６とを備える。ヘッドバンド１は、ユーザを通信経路として使用するための電極を兼ねる。ヘッドセット内の電気回路は、図示しないバッテリから電力を供給される。
【００２２】
図２は、トランシーバ３の構成を示すブロック図である。
【００２３】
図２（ａ）に示すように、トランシーバ３は、マイクロホン６が検出したユーザの音声を音声データに変換する制御回路３１と、その音声データに応じた波形をもつ電圧を生成してヘッドバンド１に印加する発振回路３２と、ヘッドバンド１に印加された電圧によりユーザへの音声を示す音声データを検出する検出部３３とを備える。制御回路３１は、検出された音声データをアナログ信号に変換し、その信号でスピーカ４から音声を再生させる機能を兼ね備える。
【００２４】
検出部３３は、ヘッドバンド１に印加された電圧を光学的に検出する電界光学検出部３３１、光学的な検出結果を電気信号に変換する信号処理回路３３２、電気信号の波形を整形する波形整形回路３３３を備える。
【００２５】
なお、図２（ｂ）に示すように、検出部３３は、ヘッドバンド１の電圧信号から搬送波を抽出する搬送波再生回路３３６と、搬送波再生回路３３６で再生された搬送波とヘッドバンド１の電圧信号をもとに音声データを検出する復調回路３３７と、復調回路３３７より出力される復調信号のＨレベルとＬレベルの反転が起きていないかを判定し補正するための補正回路３３８とにより構成してもよい。
【００２６】
マイクロホンアーム５またはその一部は、検出部３３が音声データを検出する場合の基準電位を定めるグランド電極を兼ね、その電位は制御回路３１や発振回路３２の基準電位にもなっている。
【００２７】
第１の実施の形態では、ユーザが音声を発声すると、マイクロホン６は、その音声を検出する。制御回路３１は、その音声を音声データに変換する。発振回路３２は、その音声データに応じた波形をもつ電圧を生成し、その電圧をヘッドバンド１に印加する。ヘッドバンド１は、その電圧をユーザに印加する。こうして、音声データが図示しない電話機などに送信され、その相手の電話機からユーザの音声が再生される。
【００２８】
一方、相手が音声を発声すると、こちら側の電話機がその音声データに応じた波形の電圧がユーザを介してヘッドバンド１に印加する。
【００２９】
ヘッドバンド１の外周側にスピーカ収納部２を設けたことで、ヘッドバンド１が頭部に密着するので、頭部とヘッドバンド１の間の電位差が小さくなり、このときのヘッドバンド１にはグランド電極を基準として高い電圧が印加される。
【００３０】
また、グランド電極を兼ねるマイクロホンアーム５は、ヘッドセットの中でもユーザから遠い位置にあるので、それによっても、ヘッドバンド１に印加される電圧が高くなる。
【００３１】
バッテリから電力供給されるヘッドセットは、商用電源から電力供給される機器とは違い、基準電位を定めるグランド電極がフローティングになっている。そのグランド電極がユーザから遠い位置にあると、その電位が大地グランドの電位に近づき、これにより、グランド電極の電位である基準電位に対するヘッドバンド１の電位が高まるのである。
【００３２】
検出部３３は、ヘッドバンド１に印加された電圧により、音声データを検出する。ここでは、電界光学検出部３３１が、ヘッドバンド１に印加された電圧を光学的に検出し、信号処理回路３３２は、その光学的な検出結果を電気信号に変換する。波形整形回路３３３は、その電気信号の波形を整形し、整形後の波形により音声データを検出し、音声データを制御回路３１に出力する。
【００３３】
あるいは、搬送波再生回路３３６が、ヘッドバンド１の電圧信号から搬送波を抽出し、復調回路３３７が、搬送波再生回路３３６で再生された搬送波とヘッドバンド１の電圧信号をもとに音声データを検出し、補正回路３３８が、復調回路３３７より出力される復調信号のＨレベルとＬレベルの反転が起きていないかを判定し、判定結果により必要ならば反転を補正し、その復調信号によりユーザ識別子を制御回路３１に出力する。
【００３４】
図示していないが、さらに詳しく説明すると、例えば、電界光学検出部３３１は、電極の電圧に応じた電界を電気光学結晶に結合させ、その電気光学結晶にレーザ光を入射させることで、レーザ光に偏向変化を生じさせる。信号処理回路３３２は、その偏向変化が生じたレーザ光を偏向ビームスプリッタで分離することなどによって、偏向変化を強度変化に変換し、レーザ光の強度変化を光電変換素子などにより電気信号に変換する。
【００３５】
ヘッドバンド１に高い電圧が印加されるので、検出部３３は、音声データを高い感度で検出することができる。
【００３６】
制御回路３１は、その音声データをアナログ信号に変換し、スピーカ４がそのアナログ信号により音声を再生する。
【００３７】
したがって、第１の実施の形態によれば、ヘッドバンド１の外周側にスピーカ収納部２を設け、ヘッドバンド１が電極を兼ねるようにして、電極をスピーカ４より頭部に近くなるように配置したことで、電極に印加される電圧を高めることができ、音声データの検出感度を高めることができる。
【００３８】
また、スピーカ収納部２がヘッドバンド１の一方の端部に設けられているので、電極を兼ねるヘッドバンド１の他方の端部を頭部に一層近づけることができ、さらに音声データの検出感度を高めることができる。
【００３９】
なお、ヘッドバンド１全体が電極を兼ねなくてもよく、例えば、図３に示すように、ヘッドバンド１の端部が電極を兼ねるようにしてもよい。この場合、例えば、その電極とトランシーバ３と接続するリード線がヘッドバンド１内を通すことで、上記のような通信を行うことができる。
【００４０】
［第２の実施の形態］  
図４は、第２の実施の形態に係るヘッドセットにおける電極の形態並びにスピーカとの位置の関係を示す図である。
【００４１】
第２の実施の形態に係るヘッドセットの基本構成は、第１の実施の形態のものと同様であり、同一の構成要素には同一符号を付与し、ここでは、相違点を中心に説明する。
【００４２】
ヘッドバンド１は、電極を兼ねず、スピーカ収納部２内においてスピーカ４の前面側にメッシュ（編み目状）の電極１１が設けられる。電極１１は、例えば、スピーカ４の前面側に設けられる図示しないクッション内に配置される。
【００４３】
第２の実施の形態における通信形態は、第１の実施の形態のものと同様であり、電極１１には、ユーザからの音声の音声データに応じた波形の電圧が発振回路３２により印加され、また、相手の音声の音声データに応じた波形の電圧がユーザを介して印加される。
【００４４】
したがって、第２の実施の形態によれば、電極１１をメッシュにすることで、電極１１の大きさによらず、スピーカ４から発生する音声をより良く耳に伝えることができ、よって、電極１１の面積を大きくすることができる。また、電極１１をスピーカ４の前面側に配置したので、電極１１を頭部に近づけることができる。よって、電極１１の面積を大きくし且つ頭部に近づけることで、音声データの検出感度を高めることができる。
【００４５】
［第３の実施の形態］
図５は、第３の実施の形態に係るヘッドセットにおける電極の形態並びにスピーカとの位置の関係を示す図である。
【００４６】
第３の実施の形態に係るヘッドセットの基本構成は、第１の実施の形態のものと同様であり、同一の構成要素には同一符号を付与し、ここでは、相違点を中心に説明する。
【００４７】
ヘッドバンド１は、電極を兼ねず、専用の電極１２が設けられる。
【００４８】
電極１２は、スピーカ４と頭部とを結ぶ空間７を囲むように設けられている。電極１２は、例えば、スピーカ４の前面側に設けられる図示しないクッション内に配置される。
【００４９】
第３の実施の形態における通信形態は、第１の実施の形態のものと同様であり、電極１２には、ユーザからの音声の音声データに応じた波形の電圧が発振回路３２により印加され、また、相手の音声の音声データに応じた波形の電圧がユーザを介して印加される。
【００５０】
したがって、第３の実施の形態によれば、スピーカ４と頭部とを結ぶ空間７を囲むように電極１２を設けたことで、電極１２の大きさによらず、スピーカ４から発生する音声をより良く耳に伝えることができ、よって、電極１２の面積を大きくすることができる。また、電極１２はスピーカ４の前面側に位置することとなるので、電極１２を頭部に近づけることができる。よって、電極１２の面積を大きくし且つ頭部に近づけることで、音声データの検出感度を高めることができる。
【００５１】
なお、各実施の形態に係るヘッドセットは、共に、ユーザの発声した音声の音声データをユーザを通信経路として送信する機能と、ユーザを介して送信された音声データにより音声を再生する機能とを備えるが、例えば、電話機に有線で接続されたマイクロホンを使用する場合などにあっては、前者の機能は不要となる。したがって、その場合、マイクロホンアーム５、マイクロホン６、発振回路３２を除き、制御回路３１からは、音声をアナログ信号に変換する機能を除いて、ヘッドセットを構成すればよい。
【図面の簡単な説明】
【００５２】
【図１】第１の実施の形態の一例に係るヘッドセットの外観と構成を示す図である。
【図２】トランシーバ３の構成を示すブロック図である。
【図３】第１の実施の形態の別な一例に係るヘッドセットの外観と構成を示す図である。
【図４】第２の実施の形態に係るヘッドセットにおける電極の形態並びにスピーカとの位置の関係を示す図である。
【図５】第３の実施の形態に係るヘッドセットにおける電極の形態並びにスピーカとの位置の関係を示す図である。
【符号の説明】
【００５３】
１…ヘッドバンド
２…スピーカ収納部
３…トランシーバ
４…スピーカ
５…マイクロホンアーム
６…マイクロホン
１１、１２…電極
３１…制御回路
３２…発振回路
３３…検出部
【図１】
2009017397.tif 000003
【図２】
2009017397.tif 000004
【図３】
2009017397.tif 000005
【図４】
2009017397.tif 000006
【図５】
2009017397.tif 000007